(57)【要約】      （修正有）【課題】小形化及び軽量化を実現し、事前に、しかも目視で空チャンネルの把握・確認ができるようにして、視察、観光案内、商品説明などで混線が起こらないようにする。【解決手段】受信機本体１には、内臓アンテナ及び電池によって起動する集積回路が回路基盤に搭載され、チャンネル表示及び電池消耗表示が可能になっている。このチャンネル表示は、内臓アンテナで受信した使用中のチャンネル６の表示窓７が、発光ダイオードによって点灯し、残りの非点灯の空チャンネル６を把握・確認するものである。切換えスイッチ５によって受信位置の切換えを可能にすることで、使用中のチャンネル分布を推測することができ、サーチ範囲を拡げることができる。受信機本体１の内部は、回路基盤を配置する第１区画と、電池ケース８又は電池ボックスを配置する第２区画に分けられている。【選択図】図１
2008099219.tif 000002
【特許請求の範囲】
【請求項１】
箱形の受信機本体には、内臓アンテナ及び電池によって起動する集積回路が回路基盤に搭載され、しかも、チャンネル表示が可能になるようにした空チャンネル探知用の携帯受信機であって、
前記チャンネル表示は、前記内臓アンテナで受信した使用中のチャンネルについて、その表示窓が、前記集積回路中の発光ダイオードの発光によって点灯し、これに伴って、非点灯の空きチャンネルを目視で把握・確認できるようにしたことを特徴とする空チャンネル探知用の携帯受信機。
【請求項２】
前記チャンネル表示は、その表示窓が樹脂レンズによって形成され、しかも、設定された受信距離の長・短に応じて、受信位置の切換えが可能になっていることを特徴とする請求項１に記載の空チャンネル探知用の携帯受信機。
【請求項３】
一対の半割り部材からなる前記受信機本体の内部は、前記内蔵アンテナ及び集積回路を搭載した一部２階建て構成の回路基盤が配置される第１区画と、２本の乾電池が装填される第２区画とからなることを特徴とする請求項１又は請求項２に記載の空チャンネル探知用の携帯受信機。
【請求項４】
前記乾電池は、第２区画内で着脱可能に取付けられた電池ケース内に装填されるようにしたことを特徴とする請求項１〜請求項３に記載の空チャンネル探知用の携帯受信機。
【請求項５】
前記乾電池は、第２区画内に設けられた電池ボックス内に装填されるようにしたことを特徴とする請求項１〜請求項３に記載空チャンネル探知用の携帯受信機。
【請求項６】
前記乾電池による電源回路は、トランジスタ回路による逆流防止機能が付加されていることを特徴とする請求項１〜請求項５に記載の空チャンネル探知用の携帯受信機。
【請求項７】
前記乾電池に対する電池消耗表示は、グリーン及びレッドの発光ダイオードが適用され、樹脂レンズからなる表示窓には、グリーン、オレンジ及びレッドの三色による点灯表示を可能にしていることを特徴とする請求項１〜請求項６に記載の空チャンネル探知用の携帯受信機。
【発明の詳細な説明】
【技術分野】
【０００１】  本発明は、空チャンネル探知用の携帯受信機に関し、特に小型・軽量化、操作の容易性などを実現するとともに、受信周波数の設定領域内で空きチャンネルを確実に把握・確認できることを目的とするものであって、電池起動による小電力適用の集積回路で、長期寿命を可能にした通信技術に関する。
【背景技術】
【０００２】  従来、この種の携帯受信機では、ラジオ受信機を応用したものが一般的である。したがって、低電圧の作動は、例えば、直流電源電圧６ＶがＤＣ／ＤＣ変換器に付勢され、しかもこの電圧をさらに昇圧する同調回路が備えられる構成になっている。このため、空チャンネルを探知する携帯受信機の用途などには、適用されていない。
一方、集積回路を搭載した携帯受信機は、操作性がよく、しかも、回路基盤の小型化、小電力で長期寿命などを満たすことができる機種の開発が要求されている。
【発明の開示】
【発明が解決しようとする課題】
【０００３】  解決しようとする問題点は、視察、観光案内などで携帯受信機を現場で使用す場合において、同じカテゴリーに属する受信機の利用者が存在するときには、同じチャンネルが使用されたり、近接した周波数のチャンネルが使用されたりすることなどから、混線状態を起こす点にある。このため、説明者及び利用者にとっては、事前に、携帯受信機における空チャンネルの状況を把握・確認できることが重要な課題となっている。
また、受信機自体の基本的な問題点は、集積回路を搭載した回路基盤が受信機本体内に組み込まれるにあたって、多様な回路構成から小型化が難しいことにある。
さらに、乾電池を電源とする場合、基本的に市販品の使用からスペース問題には限界があり、また長期寿命及び電池切れ表示の必要性などが問題点になっている。
【課題を解決するための手段】
【０００４】  本発明に係る請求項１記載の空チャンネル探知用の携帯受信機は、箱形の受信機本体には、内臓アンテナ及び電池によって起動する集積回路が回路基盤に搭載され、しかも、チャンネル表示が可能になるようにした空チャンネル探知用の携帯受信機であって、前記チャンネル表示は、前記内臓アンテナで受信した使用中のチャンネルについて、その表示窓が、前記集積回路中の発光ダイオードの発光によって点灯し、これに伴って、残りの非点灯の空きチャンネルを目視で把握・確認できるようにしたことを特徴とする空チャンネル探知用の携帯受信機である。【０００５】  上記構成によれば、箱形の受信機本体には、内臓アンテナ及び電池によって起動する集積回路が回路基盤に搭載されるため、受信機本体の小型化が可能になる。この場合、電池は、アルカリ乾電池、マンガン乾電池、リチウムイオン充電式電池、ニカド充電式電池など市販品が適用できる。
また、前記内臓アンテナで受信した使用中のチャンネルの表示窓は、前記集積回路中の発光ダイオードの発光によって点灯し、これに伴って、残りの非点灯の空チャンネルを目視で把握・確認できる。したがって、同じカテゴリーに属する携帯受信機をもつ他の受信者が同じ現場に居合わせ、混線が生じても、本発明に係る空チャンネル探知用の携帯受信機によって、空チャンネルの把握・確認をすれば、使用チャンネルを異ならせることができ混線を解消することできる。【０００６】  請求項２記載の空チャンネル探知用の携帯受信機では、前記チャンネル表示は、その表示窓が樹脂レンズによって形成され、しかも、設定された受信距離の長・短に応じて、受信位置の切換えが可能になっていることを特徴とする請求項１に記載の空チャンネル探知用の携帯用受信機である。
上記構成によれば、前記チャンネル表示は、受信距離の長・短に応じて、受信位置の切換えが可能になっているため、２つの現場で使用中のチャンネルを把握・確認でき、結果的にサーチ範囲が拡がって、空きチャンネルの把握・確認が適切に行える。【０００７】  請求項３記載の空チャンネル探知用の携帯受信機では、一対の半割り部材からなる前記受信機本体の内部は、前記内蔵アンテナ及び集積回路を搭載した一部２階建て構成の回路基盤が配置されるようにした第１区画と、２本の乾電池が装填されるようにした第２区画とからなることを特徴とする請求項１又は請求項２に記載の空チャンネル探知用の携帯受信機である。
上記構成によれば、回路基盤は、一部２階建て構成になっていることから、基盤の表裏面に加え、２階部分にも搭載できるので搭載面積が拡がる。このため、比較的高さのある可変抵抗器などの組込用電子部品などがあっても、基盤の表面部分に搭載するようにすれば、適材適所に配置できる。【０００８】  請求項４記載の空チャンネル探知用の携帯受信機では、前記乾電池は、第２区画内で着脱可能に取付けられる電池ケース内に装填されるようにしたことを特徴とする請求項１〜請求項３に記載の空チャンネル探知用の携帯受信機である。
上記構成によれば、乾電池は、電池ケース内に装填されるため、航空機などで使用した場合、気圧変化などによる液漏れがあっても、集積回路などの他の部分への影響がなくなる。【０００９】  請求項５記載の空チャンネル探知用の携帯受信機では、前記乾電池は、第２区画内に設けられた電池ボックス内に装填されるようにしたことを特徴とする請求項１〜請求項３に記載の空チャンネル探知用の携帯受信機である。
上記構成によれば、乾電池の装填に伴う操作性がよく、しかも前述した回路基盤との組合せにおいても小型化を損なわない。【００１０】  請求項６記載の空チャンネル探知用の携帯受信機では、前記乾電池による電源回路は、トランジスタ回路による逆流防止機能が付加されていることを特徴とする請求項１〜請求項５に記載の空チャンネル探知用の携帯受信機である。
上記構成によれば、トランジスタ回路による逆流防止機能が付加されていることから、誤操作で正負を逆に装填した場合でも、極端な電池消耗を防ぐことができる。【００１１】  請求項７記載の空チャンネル探知用の携帯受信機では、前記乾電池に対する電池消耗表示は、グリーン及びレッドの発光ダイオードが適用され、樹脂レンズからなる表示窓には、グリーン、オレンジ及びレッドの三色による点灯表示を可能にしていることを特徴とする請求項１〜請求項６に記載の空チャンネル探知用の携帯受信機である。
上記構成によれば、乾電池の消耗度に応じて、表示窓には、グリーン（正常）、オレンジ（消耗中）及びレッド（異常）が点灯するので、乾電池の寿命管理が容易に行える。
【発明の効果】
【００１２】  本発明に係る空チャンネル探知用携帯受信機は、内臓アンテナで受信した使用中のチャンネルについて、その表示窓が、集積回路中の発光ダイオードの発光によって点灯表示されるため、残りの非点灯の空きチャンネルを目視によって把握・確認できる。
したがって、送信機の送信者又は現場視察などの説明者は、本発明に係る空チャンネル探知用の携帯受信機を事前に操作して、空きチャンネルを把握・確認しておき、この空チャンネルを利用者又は受信者に伝達すれば、混線のない状況で、現場視察や観光案内などの説明・紹介を適切に行える。
また、本発明に係る空チャンネル探知用の携帯受信機は、受信距離の長・短に応じて、受信位置の切換えが可能になっている。
つまり、受信距離を例えば、５０ｍ及び２０ｍに設定して、これを切換えることよって、２つの位置における使用中のチャンネル表示が可能になる。この結果、距離的な分布状態も推測できるので、空きチャンネルの把握・確認が適切に行える。【００１３】  さらに、本発明に係る空チャンネル探知用の携帯受信機では、回路基盤は、一部２階建て構成になっている。したがって、基盤の表裏面に加え、２階部分にも搭載できるため、集積回路の搭載面積が拡がり、受信機本体の小型化を可能にする。
また、本発明に係る空チャンネル探知用の携帯受信機では、受信機本体を第１区画及び第２区画に分け、第２区画には、電池ケース又は電池ボックスが位置するように構成されている。このため、シンプルな構成になり、操作性もよくなっている。
さらに、乾電池による電源回路については、トランジスタ回路による逆流防止機能が付加されるようにすれば、誤操作で正負を逆に装填した場合でも、極端な電池消耗を防ぐことができる。
また、乾電池の電池消耗表示については、グリーン及びレッドの発光ダイオードを備えることによって、表示窓には、グリーン、オレンジ及びレッドの三色による点灯表示を可能にしているため、乾電池の寿命管理が容易に行える。
【実施例１】
【００１４】  以下、本発明に係る空チャンネル探知用の携帯受信機について、添付図面に基づいて詳細に説明する。図１は、本発明の第１実施形態に係る携帯用受信機を示す概念的な斜視図である。
第１実施形態の空チャンネル探知用の携帯受信機は、一対の半割り部材１ａ，１ｂからなる受信機本体１を有しており、図１の上端に設けられた取付け板２には、電源スイッチ３及び電池消耗を表示する表示窓４がそれぞれ設けられている。この表示窓４は、球形面を有する樹脂レンズで形成され、後述するように、発光ダイオードの発光により電池消耗度を色別表示するものである。
また、受信機本体１の表面の上方部分には、受信位置の切換えを可能にする切換えスイッチ５及び多数（図示では１６個）からなるチャンネル６がそれぞれ設けられている。そして、切換えスイッチ５は、図示の場合、想定上の受信距離が５０ｍ及び２０ｍに設定され、これに伴って、２つの位置で使用中のチャンネルをサーチできる。したがって、空チャンネルの把握・確認が適切に行える。
また、チャンネル６は、縦２列の１６チャンネルに設定されているが、チャンネル表示では、樹脂レンズで形成される表示窓７が点灯することから、残りの非点灯のチャンネル６が、空きチャンネルとして把握・確認される。表示窓７を縦２列のグループ構成としたのは、それぞれ受信周波数をアットランダムに割振り、混線の発生を減少させる配慮である。
なお、樹脂レンズで構成される表示窓７は、図１及び図２で示されるように、球形部分７ａ及びこれに連設される中空状の脚部分７ｂからなり、受信機本体１の内部では、脚部分７ｂが回路基盤に向かって延びている。このため、組込みにあたっては、不安定な脚部分７ｂが、ウレタンなどからなるブロック状の穴付き充填材（図示せず）で支えられるようにすればよい。この場合、図２は、図１に対する半割り部材１ａの内部側を示したものである。
さらに、図１において、受信機本体１の右側コーナーには、電池ケース８を収納するコーナー開口部９が設けられている。
この電池ケース８は、２本の乾電池（市販品の単４形１．５Ｖ）を装填するが、コーナー開口部９への収納にあたっては、図２で示される半割り部材１ａ及び後述する半割り部材１ｂにそれぞれ設けられたガイドレール１０ａ，１０ｂ，１０ｃが位置決めとして利用される。
図３（ａ）（ｂ）は、図１を正面図としたときの背面図及び右側面図をそれぞれ示したものである。そして、この電池ケース８は、図３（ａ）で示されるように、最終的には、例えば六角穴付きの小ネジ１１で受信機本体１に固定される。これは、乾電池の液漏れなどが発生した場合を想定して、品質上の維持管理を受信機の提供者側で徹底するためである。【００１５】  図４は、図３（ａ）中のＡ−Ａ線に沿って得られる断面図（内部部品は省略）であり、受信機本体１には、ネックストラップ用の係止穴１２が形成されている。係止穴１２を形成したのは、本発明に係る空チャンネル探知用の携帯受信機の場合、受信機本体１は、ほぼ名刺大に小型化され、合成樹脂で構成した場合には、約８７．５ｇ（電池含まず）と軽量化できたことからである。
図５は、電池蓋１３を開いた状態の電池ケース８を示した斜視図であり、図６は、電池蓋１３の斜視図である。
電池ケース８は、図５で示されるように、一対の半割り部材８ａ，８ｂからなるもので、その内部空間には、２本の直流乾電池（図示せず）が装填された後、電池蓋１３によって閉じられる。電池ケース８を別部材として構成したのは、航空機内の圧力上昇などによって乾電池の液漏れが発生したときに、集積回路など他の部分への影響を避けるためである。
前記電池蓋１３は、図５で示されるように、ガイド部分１４ａを備えた蓋本体１４に対して、その上下端からそれぞれ直角に折曲端１４ｂ、１４ｃを形成することで略コ字状に構成される。そして、ガイド部分１４ａから延びる折曲端１４ｂには、ガイド部分１４ａの幅よりも長さの大きい係止軸１５が形成され、反対側の折曲端１４ｃには、略凸状の係止部分１６が形成されるようになっている。また、電池蓋１３の本体部分１４には、乾電池の＋極及び−極に対して通電可能になるスプリング１７ａ，１７ｂがそれぞれ取付けられるようになっている。
これに対し、前記電池ケース８は、ガイド溝１８の両側壁に盲状の係止穴１９が設けられており、この係止穴１９内には、図６で示されるように、電池蓋１３の係止軸１５が位置するようになっている。
この結果、電池蓋１３は、ガイド部分１４ａ及び電池ケース８のガイド溝１８によってスライド可能に構成される。
また、電池蓋１３は、図３（ｂ）で示されるように、係止部分１６が電池ケース８の係止溝２０内に位置することで閉状態になる。したがって、この電池蓋１３は、電池ケース８に対してスライド開閉可能に構成される。【００１６】  図７（ａ）（ｂ）（ｃ）は、電池ケース８の半割り部材８ａを示す説明図であり、図７（ａ）は、半割り状態の内部側から見た正面図、図７（ｂ）は、その背面図、図７（ｃ）は、右側面図である。
これに対し、図８（ａ）（ｂ）（ｃ）は、同様に、電池ケース８の半割り部材８ｂを示す説明図であり、図８（ａ）は、半割り状態の外側から見た正面図、図８（ｂ）は、左側面、図８（ｃ）は、右側面図である。
前記電池ケース８の半割り部材８ａは、乾電池が装填される最奥端側では、一対の接触板２２が設けられ、この接触板２２には、電池蓋１３が適合するように、−極に対するスプリング２３ａ及び＋極に対する膨出部分２３ｂがそれぞれ備えられる。
また、電池ケース８の半割り部材８ａ，８ｂは、並置状態で装填される乾電池間で中央隔壁２４ａ，２４ｂが形成され、この中央隔壁２４ａ，２４ｂには、位置決め用の細長溝２５ａ及び細長突起２５ｂがそれぞれ形成されるようになっている。【００１７】  図９は、本発明空チャンネル探知用の携帯受信機について、受信機本体１の内部を概念的に示す説明図であって、回路基盤２６の表面側の一部において、２点鎖線で示された部分には、２階部分に相当する小型回路基盤２６ａが備えられている。
図９において、受信機本体１の内部は、第１区画２７及び第２区画２８に分けられ、第１区画２７内には、小型回路基盤２６ａを有する回路基盤２６が内臓アンテナ２９などを含む集積回路を搭載できるように配置されている。
前記回路基盤２６は、その表面側には、内臓アンテナ２９に対して、電気的、磁気的に分離された金属枠３０及び上蓋に相当する金属カバー（図示せず）が設けられている。この場合、図９は、金属枠３０の内部が見える状態として例示されている。
前記金属枠３０の内部には、絶縁フィルタＤＦ、低ノイズアンプ３１、ＩＦ検波器３２、波形フィルタ３３、低電圧ダイオード３４、セラミックフィルタ３５ａ，３５ｂ、第２発振器３６、ＰＬＬシンセサイザ３７を備えた水晶発振子３７ａ，３７ｂなどが搭載されるようになっている。
また、金属枠３０の外部には、電源スイッチ３に対する可変抵抗器３８、電池消耗表示３９に適用される発光ダイオード４０ａ，４０ｂ、受信位置の切換えスイッチ５、チャンネル６に適用される発光ダイオード４１などが搭載されている。
さらに、２階建て構成の小型回路基盤２６ａには、電源オン／オフ回路４２、ＤＣ／ＤＣコンバータ４３、可変コイル４４などが表面実装及び挿入実装によって搭載されている。【００１８】  図１０は、回路基盤２６の裏面側を示した説明図であって、集積回路の搭載状況を例示したものである。
図１０において、回路基盤２６の裏面側には、マイクロコントローラユニット（ＭＣＵ１）４５、スケルチノイズカット４６、ＣＳ回路４７を制御するマイクロコントローラユニット（ＭＣＵ２）４８などが表面実装や挿入実装によって搭載されている。
前記第２区画２９は、前述したように、電池ケース８を収納できるコーナー開口部９が形成され、回路基盤２６に対する区画壁４９が形成される。
第２区画２９を構成する半割り部材１ａ，１ｂには、前述したように、電池ケース８に対するガイドレール１０ａ，１０ｂ，１０ｃが設けられている。この場合、中央にあるガイドレール１０ｃは、前記小ネジ１１に対する取付け穴５０を形成した突起部分５１ａ，５１ｂを補強する役割も兼ねている。
また、第２区画２９内では、前記コーナー開口部９の反対側には、挿入溝５２ａを形成した一対の起立壁５２が形成されている。この起立壁５２は、乾電池に対するリード線５３を挿入溝５２ａにより支持しており、この挿入溝５２ａから突出するリード線５３の一端には、前記電池ケース８の接触板２２に向かって通電可能になるスプリング５４が形成されている。【００１９】  ところで、本発明に係る空チャンネル探知用の携帯受信機は、操作するにあたっては、前述したように、電源スイッチ３により電源オン／オフ回路４２を起動させ、切換えスイッチ５の選択により、内臓アンテナ２９からの受信周波数によってチャンネル表示が行われる。
図１１は、本発明空チャンネル探知用の携帯受信機における集積回路を概念的に示したブロック図である。このブロック図において、電源オン／オフ回路４２の電源５５は、直流乾電池による小電源を適用したことから、市販品の単４乾電池（１．５Ｖ）２本を適用し、また送信機から供給される空中線電力としては、８００ＭＨｚ帯、１０ｍＷ以下が対象になる。なお、乾電池以外で市販されている充電式蓄電池についても、電池の装填構造やＤＣ／ＤＣコンバータの容量などを適宜変更すれば、適用可能である。
そして、本発明に係る空チャンネル探知用の携帯受信機は、電源オン／オフ回路４２は、１．８〜３．５Ｖの範囲で作動するように設定されたＤＣ／ＤＣコンバータ４３及び電圧を規制値（例えば３．３Ｖ）に制御すレギュレータ５６を介してマイクロコントローラユニット４５に接続される。
また、前記ＤＣ／ＤＣコンバータ４３は、電池消耗表示３９及びチャンネル表示５７を介してマイクロコントローラユニット４５に接続される。そして、電池消耗表示３９及びチャンネル表示５７は、前述した発光ダイオード４０ａ，４０ｂ，４１の発光によって、樹脂レンズからなる表示窓４，７の点灯表示が可能になる。
つまり、電池消耗表示３９では、グリーンＧ及びレッドＲの発光ダイオード４０ａ，４０ｂは、乾電池の消耗程度によって電流値が変化し、表示窓４が、点灯したときには、正常（グリーン）、消耗中（オレンジ）及び異常（レッド）による三色表示が可能になる。
また、チャンネル表示５７では、レッドＲの発光ダイオード４１が備えられており、内臓アンテナ２９で受信した使用中のチャンネル６の表示窓７がレッドで点灯表示される。この場合、チャンネル表示５８は、前述したＣＳ回路４７を制御するマイクロコントローラユニット（ＭＣＵ２）４８及びマイクロコントローラユニット４５によって制御される。【００２０】  図１１において、本発明に係る空チャンネル探知用携帯受信機は、内臓アンテナ２９で受信した高周波増幅ＲＦは、低ノイズアンプ３１、第１発振器３６ａ及び第２発振器３６ｂを経てＩＦ検波器３２によって、所定の中間周波ＩＦが得られるようになっている。
次いで、このＩＦ検波器３２からマイクロコントローラユニット（ＭＣＵ１）４５に至る音声信号ラインでは、スケルチノイズカット４６によって雑音などが消去される。
なお、低ノイズアンプ３１では、予め絶縁フィルタＤＦを通過させ、第１発振器３６ａでは、ハイパスフィルタＨＰＦ、第２発振器３６ｂでは、図９で示される波形フィルタ３３を通過させている。また、低電圧ダイオード３４を接続させたＩＦ検波器３２では、セラミックフイルタ３５ａ，３５ｂを通過させるとともに、可聴周波数ＡＦを除外するようにしている。
さらに、マイクロコントローラユニット４５は、データライン及び制御ラインを構成するＰＬＬ周波シンセサイザ３７を接続している。この場合、ＰＬＬ周波シンセサイザ３７は、電圧制御発振器５９、フィルタ（ＬＰＦ）６０ａ，６０ｂを基本とする回路が構成され、前述した第１発振器３６ａを制御する。
なお、ＰＬＬ周波シンセサイザ３７及び第２発振器３６ｂでは、精度の高い発振回路とするため、図９で示されように、水晶発振子３７ａ，３７ｂがそれぞれ備えられるようになっている。【００２１】  また、前記電源オン／オフ回路４２は、乾電池の挿入にあたって遅延回路を構成しており、図１２で示すように、トランジスタ回路４２ａによる逆流防止機能を付加している。この場合、図１２は、逆流防止機能を付加した電源オン／オフ回路の配線図である。
図１２において、電源オン／オフ回路４２は、電源５５からＤＣ／ＤＣコンバータ４３に至る間にあって、その回線には、トランジスタＱ１及びコンデンサＣ１，Ｃ２が備えられる。また、このトランジスタＱ１には、バイパスを構成するトランジスタ回路４２ａが付加されている。このトランジスタ回路４２ａは、過電流が流れたときに、スイッチＳのオンによってトランジスタＱ２が作動して逆方向電圧を付加する。このような配慮のない場合、乾電池を逆方向に挿入すれば、例えばフューズを備えた回路では、即時に消耗し、またダイオードを備えた回路でも、約４０％消耗する。これに対し、本発明に係る回路では、約２０％消耗で済むことから再使用が可能である。
なお、トランジスタ回路４２ａ中には、抵抗Ｒ１，Ｒ２，Ｒ３、コンデンサＣ３，Ｃ４，Ｃ５及びダイオードＤが備えられている。
このような電源オン／オフ回路４２は、前述したように遅延回路を構成しており、また連続通電時間で約２０時間の寿命であって、対する比較品のダイオード回路では、約１２時間の寿命であった。したがって、本発明における電源オン／オフ回路４２は、比較品のダイオード回路に対して約１．５倍の以上の長期寿命を示した。
【実施例２】
【００２２】  次に、本発明に係る空チャンネル探知用の携帯受信機について、第２実施形態を説明するが、前述した第１実施例と同様な構成部品には、同一符号を付して説明を省略又は簡略化する。図１３は、本発明に係る空チャンネル探知用の携帯受信機の外観を示す概念的な斜視図である。
第２実施形態に係る空チャンネル探知用携帯受信機は、図１３を参照して説明すれば、受信機本体１の表面側には、電源スイッチ３、電池消耗表示３９の表示窓４、受信位置の切換えスイッチ５及び多数のチャンネル６がそれぞれ設けられている。図１と異なるのは、電池ケース８を収納するコーナー開口部９がなく、図１４で示されているように、背面側には、乾電池を装填する電池ボックス７０が形成されることにある。この場合、図１４は、１３図に対する背面図であって、電池蓋７１を取外した状態を示したものである。
前記電源ボックス７０は、図７と同様に接触板２０を有し、−極に対する板状のスプリング２３ａ及び＋極に対する膨出部分２３ｂがそれぞれ備えられている。
そして、前記電話ボックス７０は、第１実施例と同様な配慮から、受信機本体１の第２区画２８内に配置され、前記回路基盤２６とは、区画壁４９によって分離されている。【００２３】  図１５（ａ）（ｂ）（ｃ）は、電池蓋７１を例示した説明図であり、図１５（ａ）は、正面図、図１５（ｂ）は、背面図、図１５（ｃ）は、右側面図である。
電池蓋７１は、その本体部分の側部には、電池ボックス７０の受入れ穴（図示せず）内に挿入される一対の突起７１ａを有し、その反対側部には、電池ボックス７０の挿入穴７２内に位置するＶ字状の係止部分７１ｂを備えている。
つまり、この電池蓋７１は、係止部分７１ｂの弾発力を利用することにより、電池ボックス７０の開閉が行われる。
また、電池蓋７１は、図１５（ｂ）で示されるように、電池ボックス７０に対する取付け性及び剛性の配慮から、一対のガイド突起７１ｃ及び補強突起７１ｄが備えられている。
なお、図１５（ａ）（ｂ）（ｃ）で例示する電池蓋７１については、電池ボックス７０から取外せる開閉方式を採用しているが、突起７１ａに代えて蝶番などによる取外せない開閉方式にすることも可能である。
第２実施形態に係る空チャンネル探知用の携帯受信機は、回路基盤２６，２６ａ、集積回路のブロック図、逆流防止機能を付加した電源オン／オフ回路４２の配線図などのその他の部分については、第１実施形態とほぼ同様の構成を採ることができる。したがって、図９〜図１２については、図示が省略されている。
【図面の簡単な説明】
【００２４】
【図１】  本発明の第１実施形態に係る空チャンネル探知用携帯受信機の外観を示す概念的な斜視図である。
【図２】  図１に対する半割り部材１ａの内部側を示した背面図である。
【図３】  空チャンネル探知用携帯受信機を示す説明図であり、図３（ａ）は、背面図で、図３（ｂ）は、右側面図である。
【図４】  図３中のＡ−Ａ線に沿って得られる断面図であって、内部を省略した説明図である。
【図５】  電池蓋を開いた状態を示す電池ケースの斜視図である。
【図６】  電池蓋の斜視図である。
【図７】  電池ケースの一方の半割り部材を示す説明図であって、図７（ａ）は、内部側を示した正面図、図７（ｂ）は、背面図、図７（ｃ）は、右側面図である。
【図８】  電池ケースの他方の半割り部材を示す説明図であって、図７（ａ）は、外部側を示した正面図、図７（ｂ）は、左側面図、図７（ｃ）は、右側面図である。
【図９】  受信機本体の半割り部材内に、回路基盤を組込んだ状態を示す説明図である。
【図１０】  回路基盤の裏面側を示した背面図である。
【図１１】  本発明に係る空チャンネル探知用携帯受信機における集積回路の概念を示すブロック図である。
【図１２】  逆流防止機能を付加した電源オン／オフ回路の配線図である。
【図１３】  本発明の第２実施形態に係る空チャンネル探知用携帯受信機の外観を示す概念的な斜視図である。
【図１４】  図１３に対する背面図である。
【図１５】  電池蓋を拡大して示す説明図であって、図１５（ａ）は、正面図、図１５（ｂ）は、背面図、図１５（ｃ）は、右側面図である。
【符号の説明】
【００２５】  １    受信機本体
３    電源スイッチ
４    表示窓
５    切換えスイッチ
６    チャンネル
７    表示窓
８    電池ケース
９    コーナー開口部
１３    電池蓋
２６    回路基盤
２６ａ  小型回路基盤
２７    第１区画
２８    第２区画
２９    内臓アンテナ
３９    電池消耗表示
４０ａ，４０ｂ  発光ダイオード
４１    発光ダイオード
４２    電源オン／オフ回路
４３    ＤＣ／ＤＣコンバータ
４５    マイクロコントローラユニット（ＭＣＵ１）
４７    ＣＳ回路
４８    マイクロコントローラユニット（ＭＣＵ２）
５５    電源
５７    チャンネル表示
７０    電池ボックス
【図１】
2008099219.tif 000003
【図２】
2008099219.tif 000004
【図３】
2008099219.tif 000005
【図４】
2008099219.tif 000006
【図５】
2008099219.tif 000007
【図６】
2008099219.tif 000008
【図７】
2008099219.tif 000009
【図８】
2008099219.tif 000010
【図９】
2008099219.tif 000011
【図１０】
2008099219.tif 000012
【図１１】
2008099219.tif 000013
【図１２】
2008099219.tif 000014
【図１３】
2008099219.tif 000015
【図１４】
2008099219.tif 000016
【図１５】
2008099219.tif 000017